(57)【要約】  眼内レンズの挿入器具から位置決め部材を取り外す際に、眼内レンズや挿入器具自体に影響を及ぼさず円滑に眼内レンズの位置及び姿勢の規制を解除することが可能な技術を提供する。略筒状のノズル本体１０と、ノズル本体１０に設けられ眼内レンズを収納するステージ部と、ステージ部に収納された眼内レンズを先端で押圧することで、眼内レンズを眼球内に放出するプランジャーと、ステージ部に外側から装着されることで眼内レンズの初期位置及び姿勢を規制する位置決め部材６０と、を備えており、ステージ部の外周には、ノズル本体１０の前後方向に延びるようにリブ部１２ｇを形成し、位置決め部材６０にはリブ部１２ｇ、１２ｇを両側から挟むように側壁部５１、５１と回転防止壁部５９、５９を形成することで、位置決め部材６０のステージ部に対する回転を抑制する。
2014003186.tif 000002
【特許請求の範囲】
【請求項１】
眼球組織に形成された切開創口に挿入される挿入筒部と眼内レンズを収納し配置可能な収納部とを有し略筒状に形成された器具本体と、
前記器具本体に押し込まれて前記収納部に収納された前記眼内レンズを先端で押圧することで、前記眼内レンズを前記器具本体内において移動させ前記挿入筒部から眼球内に放出するプランジャーと、
前記収納部に外側から装着されることで前記眼内レンズの前記器具本体内における初期位置及び姿勢を規制する位置決め部材と、を備え、
使用時には前記位置決め部材を前記収納部から取り外して前記眼内レンズの前記器具本体内における位置及び姿勢の規制を解除することで、前記プランジャーによる前記眼内レンズの移動及び眼球内への放出を可能とする眼内レンズの挿入器具であって、
前記収納部の外周または前記位置決め部材のいずれか一方には、前記眼内レンズの移動方向に平行に形成された平板状の壁部である平板部が設けられ、
前記収納部の外周または前記位置決め部材の他方には、前記平板部に平行に形成された二つの壁面を、該平板部に両側から対向させることで該位置決め部材の前記収納部に対する回転を抑制する回転抑制手段が設けられたことを特徴とする眼内レンズの挿入器具。
【請求項２】
前記平板部は前記収納部の外周に設けられ、
前記回転抑制手段は、前記位置決め部材に設けられたことを特徴とする請求項１に記載の眼内レンズの挿入器具。
【請求項３】
前記平板部及び前記回転抑制手段は、前記収納部に収納された前記眼内レンズの光軸方向から見て、前記眼内レンズの移動方向の中心軸に対し両側に設けられたことを特徴とする請求項２に記載の眼内レンズの挿入器具。
【請求項４】
前記位置決め部材は、前記眼内レンズの位置規制をするための複数の凸部を有し、
前記収納部における前記眼内レンズが載置される面である載置面に形成された複数の孔に前記複数の凸部が挿入され、該凸部の側面に設けられた係止部が前記孔を形成する前記載置面の端面と係合することで、前記位置決め部材が前記収納部に装着されることを特徴とする請求項１から３のいずれか一項に記載の眼内レンズの挿入器具。
【請求項５】
前記眼内レンズは、レンズ本体及び、レンズ本体の外周部から外側に延びたヒゲ状の支持部とからなり、
前記複数の凸部のうちの一部は、前記支持部を支持するための溝部を有し、
該溝部は、前記眼内レンズの移動方向に平行に形成されたことを特徴とする請求項４に記載の眼内レンズの挿入器具。
【請求項６】
前記位置決め部材は、該位置決め部材を前記収納部に装着しまたは取り外す際に把持するための把持部を有し、
前記把持部は、前記位置決め部材における前記眼内レンズの移動方向中心から偏って設けられていることを特徴とする請求項１から５のいずれか一項に記載の眼内レンズの挿入器具。
【請求項７】
前記回転抑制手段において、前記平板部に対向する壁面の少なくとも一部には、
前記位置決め部材を前記眼内レンズの移動方向について反対に装着しようとした際に、前記収納部の所定部分と干渉することで装着を禁止する、誤装着防止部が形成されたことを特徴とする請求項２に記載の眼内レンズの挿入器具。
【請求項８】
前記眼内レンズの挿入器具は、製造工程で予め前記収納部に眼内レンズが収納されるとともに前記位置決め部材が装着され、前記収納部に眼内レンズが収納されるとともに前記位置決め部材が装着された状態で流通する、プリセット型挿入器具であることを特徴とする請求項１から７のいずれか一項に記載の眼内レンズの挿入器具。
【請求項９】
請求項１から８のいずれか一項に記載の眼内レンズの挿入器具に備えられる位置決め部材。
【発明の詳細な説明】
【技術分野】
【０００１】
本発明は、眼内レンズを患者の眼球内に挿入するための眼内レンズの挿入器具及び、眼内レンズの挿入器具に備えられる位置決め部材に関する。
【背景技術】
【０００２】
従来から、白内障等の手術においては、眼球における角膜（鞏膜）や水晶体前嚢部分などの眼組織に切開創を設け、この切開創を介して、嚢内の水晶体を摘出、除去し、その後に、水晶体に代替する眼内レンズを、前記切開創より眼内に挿入して嚢内に配置させる処置が行われている。【０００３】
特に近年においては、眼内レンズを切開創より眼球内に挿入する際に、以下に示すような挿入器具が用いられる場合が多い。すなわち、器具本体の先端部に設けられた挿入筒部の先端開口を切開創を通じて眼球内に挿し入れると共に、眼内レンズを器具本体内で小さく変形せしめた状態で挿入筒部の先端開口から棒状のプランジャーによって押し出すことにより、眼内レンズを眼球内に挿入する。このような挿入器具を用いることにより、水晶体の摘出除去のために形成した切開創を利用して眼内レンズを簡単に眼球内に挿入できるので、手術を簡略化することができ、手術後の乱視の発生や感染症の発生を抑制することができる。【０００４】
ところで、上記のような眼内レンズの挿入器具では、挿入器具内において眼内レンズの位置や姿勢を規制しつつ保持する位置決め部材を備えており、使用前の状態でこの位置決め部材を用いて眼内レンズを保持しているものがある。このようなタイプの眼内レンズの挿入器具では、使用時には位置決め部材を取り外すことで眼内レンズの位置や姿勢の規制を解除し、プランジャーによって眼内レンズを押出し可能な状態とする（例えば、特許文献１参照）。この場合、位置決め部材の取り外し方によっては、位置決め部材の一部で眼内レンズのレンズ本体や支持部を挟み込んでしまうなどの不都合が生じ、正常に眼内レンズの位置や姿勢の規制を解除できず、円滑に眼内レンズの挿入作業を行うことが困難となることがあった。
【先行技術文献】
【特許文献】
【０００５】
【特許文献１】特開２００８−６１６７７号公報
【特許文献２】特開２０１０−２７３９８６号公報
【発明の概要】
【発明が解決しようとする課題】
【０００６】
本発明は、上記の従来技術の問題点に鑑みて案出されたものであり、その目的は、眼内レンズの挿入器具から位置決め部材を取り外す際に、眼内レンズや挿入器具自体に影響を及ぼさず円滑に眼内レンズの位置及び姿勢の規制を解除することが可能な技術を提供することである。
【課題を解決するための手段】
【０００７】
上記の課題を解決するための本発明は、略筒状の器具本体と、器具本体に設けられ眼内レンズを収納する収納部と、収納部に収納された眼内レンズを先端で押圧することで、眼内レンズを挿入筒部から眼球内に放出するプランジャーと、収納部に外側から装着されることで眼内レンズの初期位置及び姿勢を規制する位置決め部材と、を備えており、位置決め部材を収納部から取り外してから使用するタイプの眼内レンズの挿入器具であって、
収納部の外周または位置決め部材のいずれか一方には、器具本体の前後方向に延びるような平板状の壁部である平板部を形成し、収納部の外周または位置決め部材の他方には、平板部を両側から平行に挟むように配置された壁面を形成することで、位置決め部材の収納部に対する前後軸回りの回転を抑制することを最大の特徴とする。【０００８】
より詳しくは、眼球組織に形成された切開創口に挿入される挿入筒部と眼内レンズを収納し配置可能な収納部とを有し略筒状に形成された器具本体と、
前記器具本体に押し込まれて前記収納部に収納された前記眼内レンズを先端で押圧することで、前記眼内レンズを前記器具本体内において移動させ前記挿入筒部から眼球内に放出するプランジャーと、
前記収納部に外側から装着されることで前記眼内レンズの前記器具本体内における初期位置及び姿勢を規制する位置決め部材と、を備え、
使用時には前記位置決め部材を前記収納部から取り外して前記眼内レンズの前記器具本体内における位置及び姿勢の規制を解除することで、前記プランジャーによる前記眼内レンズの移動及び眼球内への放出を可能とする眼内レンズの挿入器具であって、
前記収納部の外周または前記位置決め部材のいずれか一方には、前記眼内レンズの移動方向に平行に形成された平板状の壁部である平板部が設けられ、
前記収納部の外周または前記位置決め部材の他方には、前記平板部に平行に形成された二つの壁面を、該平板部に両側から対向させることで該位置決め部材の前記収納部に対する回転を抑制する回転抑制手段が設けられたことを特徴とする。【０００９】
これによれば、収納部の外周または位置決め部材のいずれか一方に設けられた平板部に対し、収納部の外周または位置決め部材の他方に該平板部に平行に形成された二つの壁面を両側から対向させることで、平板部を二つの壁面で挟むような配置にすることが可能となる。従って、例えば、一つの壁面を平板部に片側から対向させることにより回転を抑制する場合と比較して、位置決め部材の収納部に対する回転をより確実に抑制できる。【００１０】
なおここで、平板部に平行に形成された二つの壁面を、該平板部に両側から対向させるとは、二つの壁面を、隙間を有しつつ平板部に両側から対向させる場合と、二つの壁面を、平板部に両側から隙間なく対向させる場合と、の両方を含む。この隙間の有無または隙間の大きさは、位置決め部材に許される回転角度によって定められる。なお、この場合に抑制可能な回転方向は、主に、眼内レンズの移動方向（プランジャーの軸方向または、器具本体の軸方向）回りの回転である。また、本発明において収納部の外周とは、器具本体における収納部の外表面を示し、例えば、収納部の外表面であって位置決め部材が取り付けられるべき方向の面であってもよい。【００１１】
また、本発明においては、前記平板部は前記収納部の外周に設けられ、前記回転抑制手段は、前記位置決め部材に設けられるようにしてもよい。元来、収納部の外周には収納部の強度確保のためのリブが設けられていることが多いため、この発明によれば、収納部に元々設けられているリブをそのまま平板部として利用することができる。【００１２】
また、本発明においては、前記平板部及び前記回転抑制手段は、前記収納部に収納された前記眼内レンズの光軸方向から見て、前記眼内レンズの移動方向の中心軸に対し両側に設けられるようにしてもよい。そうすれば、眼内レンズの移動方向軸の回りの二箇所に設けられた平板部に対し、それぞれ二つの壁面を両側から対向させることができ、さらに確実に、位置決め部材の収納部に対する回転を抑制することができる。【００１３】
また、本発明においては、前記位置決め部材は、前記眼内レンズの位置規制をするための複数の凸部を有し、
前記収納部における前記眼内レンズが載置される面である載置面に形成された複数の孔に前記複数の凸部が挿入され、該凸部の側面に設けられた係止部が前記孔を形成する前記載置面の端面と係合することで、前記位置決め部材が前記収納部に装着されるようにしてもよい。【００１４】
このようなタイプの位置決め部材を備えた眼内レンズの挿入器具においては、位置決め部材が眼内レンズの移動方向の軸回りに回転することにより、凸部が眼内レンズのレンズ本体や支持部を挟み込んだり、収納部を損傷させたりし易い。従って、本発明をこのようなタイプの位置決め部材を備えた眼内レンズの挿入器具に適用することで、発明の効果をより顕著にすることが可能である。【００１５】
また、本発明においては、前記眼内レンズは、レンズ本体及び、レンズ本体の外周部から外側に延びたヒゲ状の支持部とからなり、
前記複数の凸部のうちの一部は、前記支持部を支持するための溝部を有し、
該溝部は、前記眼内レンズの移動方向に平行に形成されるようにしてもよい。【００１６】
このような場合、位置決め部材が眼内レンズの移動方向の軸回りに回転すると、凸部と収納部との干渉によって支持部を支持するための溝部が変形し、眼内レンズの支持部を挟み込んでしまう場合がある。従って、本発明をこのようなタイプの位置決め部材を備えた眼内レンズの挿入器具に適用することで、眼内レンズの支持部の前記溝部への挟み込みを抑制することができ、発明の効果をより顕著にすることが可能である。【００１７】
また、本発明においては、前記位置決め部材は、該位置決め部材を前記収納部に装着しまたは取り外す際に把持するための把持部を有し、
前記把持部は、前記位置決め部材における前記眼内レンズの移動方向中心から偏って設けられるようにしてもよい。【００１８】
これによれば、使用者がこの把持部を把持することによって位置決め部材を収納部から取り外す場合には、構造上、位置決め部材は、眼内レンズの移動方向と垂直方向の軸回りに回転し易くなり、そのような軸回りに位置決め部材を回転させることで、容易に収納部から取り外すことが可能となる。その結果、眼内レンズの移動方向の軸回りの回転を必要としなくなるので、より確実に、位置決め部材の眼内レンズの移動方向の軸回りの回転を抑制することが可能となる。【００１９】
また、これによれば、位置決め部材を収納部に装着する際に、前記眼内レンズの移動方向について反対に装着してしまうことを抑制できる。【００２０】
また、本発明においては、前記回転抑制手段において、前記平板部に対向する壁面の少なくとも一部には、
前記位置決め部材を前記眼内レンズの移動方向について反対に装着しようとした際に、前記収納部の所定部分と干渉することで装着を禁止する、誤装着防止部が形成されるようにしてもよい。これによれば、さらに確実に、位置決め部材を収納部に装着する際に、前記眼内レンズの移動方向について反対に装着してしまうことを抑制できる。【００２１】
また、本発明における眼内レンズの挿入器具は、製造工程で予め前記収納部に眼内レンズが収納されるとともに前記位置決め部材が装着され、前記収納部に眼内レンズが収納されるとともに前記位置決め部材が装着された状態で流通する、プリセット型挿入器具であってもよい。そのような場合に上述の発明を適用することで、プリセット型挿入器具の信頼性をより向上させることが可能となる。【００２２】
また、本発明は、上記のいずれか眼内レンズの挿入器具に備えられる位置決め部材であってもよい。【００２３】
なお、上記した本発明の課題を解決する手段については、可能なかぎり組み合わせて用いることができる。
【発明の効果】
【００２４】
本発明によれば、眼内レンズの挿入器具から位置決め部材を取り外す際に、眼内レンズや挿入器具自体に影響を及ぼさず円滑に眼内レンズの位置及び姿勢の規制を解除することが可能となる。
【図面の簡単な説明】
【００２５】
【図１】従来の眼内レンズの挿入器具の概略構成を示す図である。
【図２】眼内レンズの概略構成を示す図である。
【図３】ノズル本体の概略構成を示す図である。
【図４】従来の位置決め部材の概略構成を示す図である。
【図５】プランジャーの概略構成を示す図である。
【図６】本発明の実施例１における位置決め部材の概略構成を示す図である。
【図７】本発明の実施例１における眼内レンズの挿入器具の概略構成を示す図である。
【図８】本発明の実施例１における眼内レンズの挿入器具における位置決め部材付近を示す図である。
【図９】本発明の実施例２における眼内レンズの挿入器具における位置決め部材付近を示す図である。
【図１０】本発明の実施例３における位置決め部材の概略構成を示す図である。
【図１１】本発明の実施例３における位置決め部材の斜視図である。
【図１２】本発明の実施例３における眼内レンズの挿入器具の概略構成を示す図である。
【図１３】本発明の実施例３における位置決め部材の外観図である。
【図１４】本発明の実施例３における位置決め部材の外観図である。
【発明を実施するための形態】
【００２６】
以下に、図面を参照して本発明の実施の形態について説明する。
【００２７】
〔実施例１〕
図１には、従来の眼内レンズの挿入器具１（以下、単に、挿入器具１ともいう。）の概略構成を示す。図１（ａ）は平面図、図１（ｂ）は側面図を示している。挿入器具１は、断面略矩形の筒状に形成されており片側は大きく開口し（以下、大きく開口した側を後端部１０ｂという。）、別の片側端部には細く絞られた挿入筒部としてのノズル部１５及び斜めに開口した先端部１０ａを備える器具本体としてのノズル本体１０と、ノズル本体１０に挿入され往復運動可能なプランジャー３０とを備えている。なお、以下において、ノズル本体１０の先端部１０ａから後端部１０ｂへ向かう方向またはその逆方向（眼内レンズの移動方向に平行な方向）を前後方向、図１（ａ）において紙面に垂直方向を上下方向、図１（ｂ）において紙面に垂直方向を左右方向とする。
【００２８】
ノズル本体１０の後端部１０ｂ付近には、板状に迫り出し、使用者がプランジャー３０をノズル本体１０の先端側に押し込む際に指を掛けるホールド部１１が一体的に設けられている。また、ノズル本体１０におけるノズル部１５の後端側には、眼内レンズ２をセットする収納部としてのステージ部１２が設けられている。このステージ部１２は、ステージ蓋部１３を開蓋することでノズル本体１０の上側（図１（ａ）における紙面垂直手前側）が開放されるようになっている。また、ステージ部１２には、ノズル本体１０の下側（図１（ａ）における紙面垂直奥側）から位置決め部材５０が取り付けられている。この位置決め部材５０によって、使用前（輸送中）において、ステージ部１２内で眼内レンズ２の位置及び姿勢が規制され、眼内レンズ２が安定して保持されている。
【００２９】
すなわち、挿入器具１においては、製造時に、ステージ蓋部１３が開蓋し位置決め部材５０がステージ部１２に取り付けられた状態で、眼内レンズ２がステージ部１２にセットされる。そして、ステージ蓋部１３を閉蓋させた後出荷、販売される。さらに、使用時には使用者がステージ蓋部１３を閉蓋したままで位置決め部材５０を取り外し、その後プランジャー３０をノズル本体１０の先端側に押し込む。このことで、プランジャー３０によって眼内レンズ２を押圧し、先端部１０ａより眼内レンズ２を押し出す。なお、挿入器具１におけるノズル本体１０、プランジャー３０、位置決め部材５０はポリプロピレンなどの樹脂の素材で形成される。ポリプロピレンは医療用機器において実績があり、耐薬品性などの信頼性も高い素材である。
【００３０】
図２は、眼内レンズ２の概略構成を示した図である。図２（ａ）は平面図、図２（ｂ）は側面図を示す。眼内レンズ２は、所定の屈折力を有するレンズ本体２ａと、レンズ本体２ａに設けられ、レンズ本体２ａを眼球内で保持するためのヒゲ状の２本の支持部２ｂ、２ｂとから形成されている。支持部２ｂ、２ｂは本実施例においてレンズ保持部に相当する。レンズ本体２ａは可撓性の樹脂材料から形成されている。
【００３１】
図３にはノズル本体１０の平面図を示す。前述のようにノズル本体１０においては、眼内レンズ２はステージ部１２にセットされる。そして、その状態でプランジャー３０によって押圧されて先端部１０ａから眼内レンズ２が押し出される。なお、ノズル本体１０の内部にはノズル本体１０の外形の変化に応じて断面形状が変化する貫通孔１０ｃが設けられている。そして、眼内レンズ２が押し出される際は、眼内レンズ２は、ノズル本体１０内の貫通孔１０ｃの断面形状の変化に応じて変形し、患者の眼球に形成された切開創に入り易い形に変形した上で押し出されることになる。
【００３２】
ステージ部１２には、眼内レンズ２のレンズ本体２ａの径より僅かに大きな幅を有するステージ溝１２ａが形成されている。ステージ溝１２ａの前後方向の寸法は、眼内レンズ２の両側に延びる支持部２ｂ、２ｂを含む最大幅寸法よりも大きく設定されている。また、ステージ溝１２ａの底面によってセット面１２ｂが形成されている。セット面１２ｂの上下方向位置（図３の紙面に垂直方向の位置）は、ノズル本体１０の貫通孔１０ｃの底面の高さ位置よりも上方（図３の紙面に垂直方向手前側）に設定されており、セット面１２ｂと貫通孔１０ｃの底面とは底部斜面１０ｄによって連結されている。なお、セット面１２ｂには、プランジャー３０における後述の円柱部３１ａをガイドするための２本のガイド部１０ｆ、１０ｆが設けられている。
【００３３】
ステージ部１２とステージ蓋部１３とは一体に形成されている。ステージ蓋部１３はステージ部１２と同等の前後方向の寸法を有している。ステージ蓋部１３は、ステージ部１２の側面がステージ蓋部１３側に延出して形成された薄板状の連結部１４によって連結されている。連結部１４は中央部で屈曲可能に形成されており、ステージ蓋部１３は、連結部１４を屈曲させることでステージ部１２に上側から重なり閉蓋することができるようになっている。
【００３４】
ステージ蓋部１３において、閉蓋時にセット面１２ｂと対向する面には、ステージ蓋部１３を補強し、眼内レンズ２の位置を安定させるためにリブ１３ａ及び１３ｂが設けられている。また、プランジャー３０の上側のガイドとして案内突起１３ｃが設けられている。
【００３５】
ステージ部１２のセット面１２ｂの下側には、位置決め部材５０が取外し可能に設けられている。図４に、位置決め部材５０の概略構成を示す。図４（ａ）は平面図を示し、図４（ｂ）は側面図を示している。位置決め部材５０はノズル本体１０と別体として構成されており、平板状の連結部５２の左右両側に、一対の側壁部５１、５１が連結部５２に垂直に設けられた構造となっている。それぞれの側壁部５１の下端からは、把持部としての保持部５３、５３が外側に延出して広がるように設けられている。
【００３６】
そして、連結部５２の中央部における対角位置には、上側に突出した一対の第一載置部５４、５４が形成されている。また、第一載置部５４の外周側の部分には、第一位置決め部５５、５５がさらに上側に突出して形成されている。第一位置決め部５５の内壁は円弧状をしており、当該内壁どうしの距離は、眼内レンズ１のレンズ本体２ａの径寸法よりも僅かに大きく設定されている。また、第一位置決め部５５、５５には、眼内レンズ２を載置した際に支持部２ｂ、２ｂを受容する溝部としての支持部用溝５５ａ、５５ａが形成されている。
【００３７】
また、連結部５２における第一載置部５４，５４とは逆の対角位置には、一対の第二載置部５６、５６が形成されている。第二載置部５６の上面の高さは、第一載置部５４の上面の高さと同等になっている。また、第二載置部５６、５６の上面における外側の部分には、上側にさらに突出する第二位置決め部５７、５７が形成されている。第二位置決め部５７の内壁も円弧状をしており、当該内壁どうしの距離は、眼内レンズ２のレンズ本体２ａの径寸法よりも僅かに大きく設定されている。加えて、第二載置部５６、５６における連結部５２中心側の端部には、僅かに突出した係止爪５８、５８が形成されている。
【００３８】
本実施例では、上記の位置決め部材５０が、ノズル本体１０のセット面１２ｂの下側から組み付けられる。ノズル本体１０のセット面１２ｂには、厚さ方向にセット面１２ｂを貫通するセット面貫通孔１２ｃが形成されている。セット面貫通孔１２ｃの外形は、位置決め部材５０の第一載置部５４および第二載置部５６を上側から見た形状に対し僅かに大きな略相似形状とされている。そして、位置決め部材５０がノズル本体１０に取り付けられる際には、第一載置部５４、５４および第二載置部５６、５６が、セット面１２ｂの下側からセット面貫通孔１２ｃに挿入され、セット面１２ｂの上側に突出する。
【００３９】
その際、第二位置決め部５７、５７に設けられた係止爪５８、５８がセット面貫通孔１２ｃを介してセット面１２ｂに突出し、セット面１２ｂの上面に係止される。このことによって、位置決め部材５０がノズル本体１０の下側から組み付けられ、第一載置部５４、５４および第二載置部５６、５６がセット面１２ｂから突出した状態で固定される。そして、眼内レンズ２がセット面１２ｂにセットされる際には、レンズ本体２ａの外周部底面が、第一載置部５４、５４および第二載置部５６、５６の上面に載置される。また、レンズ本体２ａは第一位置決め部５５、５５及び第二位置決め部５７、５７によって水平方向に対して位置規制される。さらにその際、支持部２ｂ、２ｂの根元付近が支持部用溝５５ａ，５５ａを通過するように支持され、眼内レンズ２の光軸回りの回転が規制される。なお、本実施例において第一載置部５４、第二載置部５６、第一位置決め部５５及び第二位置決め部５７は凸部に相当する。
【００４０】
図５にはプランジャー３０の概略構成を示す。プランジャー３０は、ノズル本体１０よりもやや大きな前後方向長さを有している。そして、円柱形状を基本とした先端側の作用部３１と、矩形ロッド形状を基本とした後端側の挿通部３２とから形成されている。そして、作用部３１は、円柱形状とされた円柱部３１ａと、円柱部３１ａの左右方向に広がる薄板状の扁平部３１ｂとを含んで構成されている。
【００４１】
作用部３１の先端部分には、切欠部３１ｃが形成されている。この切欠部３１ｃは、図５から分かるように、作用部３１の上方向に開口し左右方向に貫通する溝状に形成されている。また、図５（ｂ）から分かるように、切欠部３１ｃの先端側の溝壁は作用部３１の先端側に行くに連れて上方に向かう傾斜面で形成されている。
【００４２】
一方、挿通部３２は、は全体的に概略Ｈ字状の断面を有しており、その左右方向および上下方向の寸法は、ノズル本体１０の貫通孔１０ｃよりも僅かに小さく設定されている。また、挿通部３２の後端には、上下左右方向に広がる円板状の押圧板部３３が形成されている。
【００４３】
挿通部３２の前後方向の中央より先端側の部分には、挿通部３２の上側に向けて突出し、プランジャー３０の素材の弾性により上下に移動可能な爪部３２ａが形成されている。そして、プランジャー３０がノズル本体１０に挿入された際には、ノズル本体１０の上面において厚さ方向に設けられた図３に示す係止孔１０ｅと爪部３２ａが係合し、このことにより初期状態におけるノズル本体１０とプランジャー３０との相対位置が決定される。なお、爪部３２ａと係止孔１０ｅの形成位置は、係合状態において、作用部３１の先端が、ステージ部１２にセットされた眼内レンズ２のレンズ本体２ａの後方に位置し、レンズ本体２ａの後方の支持部２ｂを切欠部３１ｃが下方から支持可能な場所に位置するよう設定されている。
【００４４】
上記のように構成された挿入器具１の使用前においては、プランジャー３０がノズル本体１０に挿入されて初期位置に配置される。また、位置決め部材５０が、前述のように、セット面１２ｂの下方からノズル本体１０に取り付けられる。これにより、位置決め部材５０の第一載置部５４および第二載置部５６がセット面１２ｂより突出した状態に保持される。
【００４５】
次に、眼内レンズ２のレンズ本体２ａが支持部２ｂ、２ｂをノズル本体１０の前後方向に向けた状態で第一載置部５４および第二載置部５６の上面に載置され位置決めされる。この状態において、眼内レンズ２は、レンズ本体２ａの外周部分が第一載置部５４および第二載置部５６に接触しているので、中央部分は非負荷状態で支持されている。また、この状態において、眼内レンズ２の支持部２ｂは、支持部用溝５５ａ、５５ａの他、プランジャー３０の切欠部３１ｃの底面によっても支持されている。
【００４６】
挿入器具１を用いて眼内レンズ２を眼球内に挿入する場合には、先ず、位置決め部材５０をノズル本体１０から取り外す。これにより、眼内レンズ２のレンズ本体２ａを支持していた第一載置部５４および第二載置部５６がセット面１２ｂから後退し、眼内レンズ２がセット面１２ｂ上に移動可能に載置され、眼内レンズ２の位置及び姿勢の規制が解除される。
【００４７】
続いて、眼組織に設けた切開創に、ノズル本体１０のノズル部１５における先端部１０ａを挿入する。ここにおいて、先端部１０ａは斜めの開口形状を有しているので、切開創への挿入を容易に行なうことができる。そして、切開創にノズル部１５を挿入した後に、その状態で、プランジャー３０の押圧板部３３をノズル本体１０の先端側に押し込む。これにより、セット面１２ａにセットされた眼内レンズ２のレンズ本体２ａ外周にプランジャー３０の作用部３１の先端が当接し、プランジャー３０の前進に伴って眼内レンズ２が先端部１０ａに向けて移動する。
【００４８】
そして、プランジャー３０によって眼内レンズ２が押圧されてノズル本体１０内を前方に移動すると、貫通孔１０ｃの断面形状の変化に応じて眼内レンズ２は変形し、変形した状態で眼内レンズ２がノズル本体１０の先端部１０ａから眼球内に押し出される。
【００４９】
ここで、上記したような眼内レンズ２の挿入作業において、位置決め部材５０をノズル本体１０から取り外す際には、位置決め部材５０を眼内レンズ２の光軸方向に真っすぐ取り外した場合には特に問題を生じないが、例えば、挿入器具１の前後方向の軸（眼内レンズ２の移動方向の軸）回りに回転するようにひねって取り外した場合には、第一載置部５４および第二載置部５６がセット面貫通孔１２ｃの端面と干渉することでノズル本体１０または位置決め部材５０を損傷させる虞がある。また、第一載置部５４および第二載置部５６が眼内レンズ２のレンズ本体２ａや支持部２ｂを挟み込んでしまう虞がある。
【００５０】
特に、第一載置部５４、５４の第一位置決め部５５、５５の左右外壁がセット面貫通孔１２ｃの端面と干渉することで変形した場合には、支持部用溝５５ａ、５５ａが潰れて開口部が閉鎖され、支持部２ｂ、２ｂを支持部用溝５５ａ、５５ａに挟み込んでしまう場合があった。そうすると、位置決め部材５０をステージ部１２から取り外した際に、セット面貫通孔１２ｃから眼内レンズ２の支持部２ｂ、２ｂが飛び出すなどの事態となり、眼内レンズ２を損傷させ、眼内レンズ２の挿入が不可能になる場合があった。
【００５１】
これに対し、本実施例では、位置決め部材５０に、取り外し時の、眼内レンズ２の移動方向の軸回りの回転を抑制する回転防止壁部を設けることとした。図６には、本実施例における位置決め部材６０について示す。位置決め部材６０と図４に示した位置決め部材５０との相違点は、各々の側壁部５１、５１の外側に回転防止壁部５９、５９が設けられた点である。この回転防止壁部５９、５９は、側壁部５１、５１と平行に、位置決め部材６０の前後方向の全域について設けられている。そして、側壁部５１と回転防止壁部５９の間には後述するようにノズル本体１０のステージ部１２におけるリブ部１２ｇを収納するリブ溝部６１、６１が形成されている。
【００５２】
図７には、本実施例における位置決め部材６０を眼内レンズの挿入器具１に適用した場合の図を示す。図１とは異なり、回転防止壁部５９が、ステージ部１２の左右の外側に露出して配置されていることが分かる。また図８には、本実施例における位置決め部材６０を眼内レンズの挿入器具１に適用した場合の位置決め部材６０付近の図を示す。図８（ａ）に示すのは側面図、図８（ｂ）はそのＡ−Ａ断面を示す。
【００５３】
図８（ｂ）から分かるように、ノズル本体１０のステージ部１２における、セット面１２ｂの左右下側には、平板部としてのリブ部１２ｇ、１２ｇが設けられている。このリブ部１２ｇは側面から見ると、図８（ａ）に示すように先端側はテ―パ状に高さが増加していき、その後側においては一定の高さを有している。
【００５４】
本実施例における位置決め部材６０は、下側からステージ部１２に取り付けられた場合に、各側壁部５１、５１と、各回転防止壁部５９、５９との間に各リブ部１２ｇを収納する状態で固定される。本実施例においては、各側壁部５１、５１と、各回転防止壁部５９、５９との間の距離は各リブ部１２ｇ、１２ｇの厚みより若干大きく設定されている。
【００５５】
これによれば、眼内レンズの挿入器具１の使用者が位置決め部材６０をノズル本体１０から取り外す場合に、図８（ｂ）に矢印で示すように、ノズル本体１０の前後方向の軸（眼内レンズ２の移動方向の軸）の回りに回転させようとしたとしても、位置決め部材６０が過度に回転してしまうことを抑制できる。なお、側壁部５１と、回転防止壁部５９との間のリブ溝部６１にリブ部１２ｇを収納することは、本実施例において、平板部に平行に形成された二つの壁面を平板部に両側から対向させることで位置決め部材の回転を抑制することに相当する。
【００５６】
これによれば、第一載置部５４および第二載置部５６がセット面貫通孔１２ｃの端面と干渉することでノズル本体１０または位置決め部材６０を損傷させることを抑制できる。また、第一載置部５４および第二載置部５６が眼内レンズ２のレンズ本体２ａや支持部２ｂを挟み込んでしまうことを抑制できる。これにより、より円滑または確実に、眼内レンズの挿入作業を行うことが可能となる。
【００５７】
さらに、第一載置部５４、５４の第一位置決め部５５、５５の左右外壁がセット面貫通孔１２ｃの端面と干渉することで変形し、支持部用溝５５ａ、５５ａが潰れて開口部が閉鎖され、眼内レンズ２の支持部２ｂ、２ｂを挟み込んでしまうことを防止できる。その結果、位置決め部材５０を取り外した際に、セット面貫通孔１２ｃから眼内レンズ２の支持部２ｂ、２ｂが突出するなどの事態を防止できる。
【００５８】
なお、本実施例において回転抑制手段は、側壁部５１、５１と、回転防止壁部５９，５９と、リブ溝部６１，６１とを含んで構成される。また、本実施例においては、側壁部５１、５１と、回転防止壁部５９，５９と、リブ溝部６１、６１は、眼内レンズ中心の両側に配置されている。従って、本実施例における回転抑制手段は、眼内レンズの光軸方向から見て、眼内レンズの移動方向の中心軸に対し両側に設けられている。
【００５９】
〔実施例２〕
次に、図９を用いて実施例２について説明する。実施例１においては、ノズル本体１０のステージ部１２における、セット面１２ｂの左右下側にはリブ部１２ｇ、１２ｇが設けられ、位置決め部材６０には、各々の側壁部５１、５１の外側に回転防止壁部５９、５９が設けられていた。そして、位置決め部材６０は、下側からステージ部１２に取り付けられた場合に、各側壁部５１、５１と、各回転防止壁部５９、５９との間に各リブ部１２ｇ、１２ｇを収納する状態で固定された。
【００６０】
これに対し、本実施例では、ノズル本体１０のステージ部１２における、セット面１２ｂの左右下側には、リブ部１２ｇ、１２ｇに加え、リブ部１２ｇ、１２ｇの内側に回転防止リブ部１２ｈ、１２ｈを設けることとした。また、位置決め部材６５には、回転防止壁部は設けられていない。そして、位置決め部材６５が、下側からステージ部１２に取り付けられた場合に、各リブ部１２ｇ、１２ｇと、各回転防止リブ部１２ｈ、１２ｈとの間の側壁溝部１２ｋ、１２ｋに、各側壁部５１、５１を収納する状態で固定することとした。
【００６１】
この構成によっても、眼内レンズの挿入器具１の使用者が位置決め部材６５をノズル本体１０から取り外す場合に、図９（ｂ）に矢印で示すように、ノズル本体１０の前後方向の軸（眼内レンズ２の移動方向の軸）の回りに回転させようとしたとしても、位置決め部材６５が過度に回転してしまうことを抑制できる。なお、リブ部１２ｇと、回転防止リブ部１２ｈとの間の側壁溝部１２ｋに側壁部５１を収納することは、本実施例において、平板部に平行に形成された二つの壁面を平板部に両側から対向させることで位置決め部材の回転を抑制することに相当する。
【００６２】
また、この構成によっても、第一載置部５４および第二載置部５６がセット面貫通孔１２ｃの端面と干渉することでノズル本体１０または位置決め部材６５を損傷させることを抑制できる。また、第一載置部５４および第二載置部５６が眼内レンズ２のレンズ本体２ａや支持部２ｂを挟み込んでしまうことを抑制できる。これにより、より円滑または確実に、眼内レンズの挿入作業を行うことが可能となる。
【００６３】
さらに、第一載置部５４、５４の第一位置決め部５５、５５の左右外壁がセット面貫通孔１２ｃの端面と干渉することで変形し、支持部用溝５５ａ、５５ａが潰れて開口部が閉鎖され、眼内レンズ２の支持部２ｂ、２ｂを挟み込んでしまうことを防止できる。その結果、位置決め部材６５を取り外した際に、セット面貫通孔１２ｃから眼内レンズ２の支持部２ｂ、２ｂが突出するなどの事態を防止できる。
【００６４】
なお、本実施例において回転抑制手段は、リブ部１２ｇ、１２ｇと、回転防止リブ部１２ｈ、１２ｈと、側壁溝部１２ｋ、１２ｋとを含んで構成される。
【００６５】
〔実施例３〕
次に、本発明の実施例３について説明する。本実施例においては、位置決め部材において保持部を部材の前後方向の中心より後側に配置することにより、ノズル本体１０の前後方向（眼内レンズの移動方向）の軸回りの回転を防止しつつ、ノズル本体１０の左右方向の軸回りの回転は許容して、位置決め部材をより容易に取り外し可能とした例について説明する。
【００６６】
図１０には、本実施例における位置決め部材７０の概略構成を示す。図１０（ａ）は平面図、図１０（ｂ）は側面図を示す。また、図１１には、位置決め部材７０の斜視図を示す。図１１（ａ）は、上側後方から見た斜視図、図１１（ｂ）は下側前方から見た斜視図である。位置決め部材７０と図６で説明した位置決め部材６０との相違点は、位置決め部材７０においては、把持部としての保持部６３、６３が、位置決め部材７０の前後方向中心より後側に偏るように設けられている点である。
【００６７】
図１２には、本実施例における位置決め部材７０を眼内レンズの挿入器具１に適用した場合の全体図を示す。位置決め部材７０は、前述のように第二位置決め部５７、５７に設けられた係止爪５８、５８がセット面１２ｂの上面に係止されることによりノズル本体１０に装着されている。従って本実施例においては、保持部６３が、位置決め部材７０におけるノズル本体１０との結合部より後側に偏って設けられていることとなる。その結果、使用者が保持部６３を保持して下側に引張るだけで、図１２（ｂ）に矢印で示すような方向（ノズル本体１０の左右方向の軸回り）に、位置決め部材７０を回転させながら取り外すことができ、より容易に位置決め部材７０を取り外すことができる。
【００６８】
そして、ノズル本体１０の左右方向の軸回りに保持部６３を回転させて取り外すことを使用者に促し、ノズル本体１０の前後方向の軸回りに位置決め部材７０を回転させて取り外すことを抑制できる。ノズル本体１０の左右方向の軸回りに位置決め部材７０を回転させて取り外した場合には、支持部用溝５５ａが長手方向に回転することになるので、支持部用溝５５ａが潰れて支持部２ｂを挟み込むといった危険性が大幅に低くなる。従って本実施例においては、より確実または円滑に、眼内レンズ２の挿入作業を行うことが可能となる。
【００６９】
なお、本実施例の位置決め部材７０の回転防止壁部５９、５９においては、凹部５９ａ、５９ｂが各々設けられている。そして、凹部５９ａの前後方向長さは凹部５９ｂの前後方向長さより長くなるように形成されている。これは、図１２に示すように蓋部１３のノズルスナップフィット１３ｅを、凹部５９ａでは逃げることができるが、凹部５９ｂでは逃げられないように形成したものである。
【００７０】
この構成によれば、図１２（ｂ）に示すように、位置決め部材７０を正しい方向に装着しようとした場合には回転防止壁部５９とノズルスナップフィット１３ｅとが干渉せず、装着可能となる。一方、位置決め部材７０を誤った方向に装着しようとした場合には回転防止壁部５９とノズルスナップフィット１３ｅとが干渉し装着が禁止される。これにより、眼内レンズの挿入器具１の組み立て工程において、位置決め部材７０の誤装着を防止することが可能となる。なお、本実施例において、凹部５９ａ、５９ｂは、誤装着防止部に相当する。
【００７１】
なお、本実施例においては、この他、保持部６３が位置決め部材７０の前後方向中心より後側に偏って配置されているため、保持部６３の位置を目視することによっても、より容易に位置決め部材７０の誤装着を防止することができる。
【００７２】
図１３は、本実施例における位置決め部材７０の六面図であり、（ａ）図は平面図、（ｂ）図は底面図、（ｃ）図は正面図、（ｄ）図は背面図、（ｅ）図は左側面図、（ｆ）図は右側面図、（ｇ）は斜視図を示している。
【００７３】
また、図１４には、位置決め部材７０の外観図面を特徴的な部分（部分意匠）を実線で示し、他の部分については破線で示す。もちろん、前記特徴的な部分と破線とで構成される全体形状も新規な部分であるが、説明を分かりやすくするためである。図１４においても、（ａ）図は平面図、（ｂ）図は底面図、（ｃ）図は正面図、（ｄ）図は背面図、（ｅ）図は左側面図、（ｆ）図は右側面図、（ｇ）は斜視図を示している。
【００７４】
なお、本実施例においも回転抑制手段は、側壁部５１、５１と、回転防止壁部５９，５９と、リブ溝部６１，６１とを含んで構成される。また、本実施例においても、側壁部５１、５１と、回転防止壁部５９，５９と、リブ溝部６１、６１は、眼内レンズ中心の両側に配置されている。従って、本実施例における回転抑制手段は、眼内レンズの光軸方向から見て、眼内レンズの移動方向の中心軸に対し両側に設けられている。
【００７５】
上記の各実施例では、挿入する眼内レンズとして、レンズ本体（光学部）と支持部が別の材料で作られるいわゆるスリーピース型を使用する例で説明したが、レンズ本体（光学部）と支持部が一体成型される、いわゆるワンピース型眼内レンズを挿入するための挿入器具にも、本発明を適用することができる。また、位置決め部材の形状は、本発明の趣旨から逸脱しない限り、上記の実施例の形状に限定されるものではない。収納部の外周または位置決め部材の一方に形成された平板部に、収納部の外周または位置決め部材の他方に形成された二つの壁面を両側から対向させることで位置決め部材の回転を抑制するものであれば、他の形状を選択してもよい。
【００７６】
例えば、回転防止壁部の前後方向長さは位置決め部材の全域に亘らなくても良いし、回転防止壁部が一つだけ設けられているような態様でも構わない。さらに、回転防止壁部と側壁部の間の隙間がリブ部厚みより小さく、リブ部を二つの壁面で隙間なく挟み込むような態様でも構わない。
【００７７】
また、回転防止リブ部の前後方向長さはリブ部と同じであってもよいし異なっていてもよい。回転防止リブ部は前後方向に分割されて設けられていてもよい。また、回転防止リブ部が一つだけ設けられているような態様でも構わない。さらに、回転防止リブ部とリブ部の間の隙間が側壁部厚みより小さく、側壁部を二つの壁面で隙間なく挟み込むような態様でも構わない。
【符号の説明】
【００７８】
１・・・挿入器具
２・・・眼内レンズ
１０・・・ノズル本体
１０ａ・・・先端部
１０ｂ・・・後端部
１０ｆ・・・ガイド部
１０ｇ・・・接触部
１２・・・ステージ部
１２ｂ・・・セット面
１２ｇ・・・リブ部
１２ｈ・・・回転防止リブ部
１２ｋ・・・側壁溝部
１３・・・ステージ蓋部
１３ａ・・・リブ
１３ｂ・・・リブ
１３ｃ・・・案内突起
１５・・・挿入筒部
３０・・・プランジャー
３１・・・作用部
３１ａ・・・円柱部
３１ｂ・・・扁平部
５０、６０、７０・・・位置決め部材
５１・・・側壁部
５３、６３・・・保持部
５９・・・回転防止壁部
６１・・・リブ溝部
【図１】
2014003186.tif 000003
【図２】
2014003186.tif 000004
【図３】
2014003186.tif 000005
【図４】
2014003186.tif 000006
【図５】
2014003186.tif 000007
【図６】
2014003186.tif 000008
【図７】
2014003186.tif 000009
【図８】
2014003186.tif 000010
【図９】
2014003186.tif 000011
【図１０】
2014003186.tif 000012
【図１１】
2014003186.tif 000013
【図１２】
2014003186.tif 000014
【図１３】
2014003186.tif 000015
【図１４】
2014003186.tif 000016
【国際調査報告】
2014003186.tif 000017
2014003186.tif 000018
2014003186.tif 000019
2014003186.tif 000020